(57)【要約】【課題】従来のコネクタを改良した新たな構造のコネクタを提供する。【解決手段】上側ホールドダウン２３は、上板部２０の端部から下方に延びた後に左右方向外側に平面状に延び、その先端はわずかに上向きに反り返るように形成されている。下側ホールドダウン２５は、下板部２１の端部から上方に延びた後に左右方向外側に平面状に延びている。上側ホールドダウン２３の左右方向外側に延びる部位には上下方向に貫通した開口部２４が設けられており、下側ホールドダウン２５の左右方向外側に延びる部位は、上側ホールドダウン２３の開口部２４内に配置されている。コネクタ１を基板５０に実装する際には、上側ホールドダウン２３及び下側ホールドダウン２５の左右方向外側に延びる部位を、基板５０に半田付けして固定する。【選択図】図１
2007227000.tif 000002
【特許請求の範囲】
【請求項１】
コンタクトと、前記コンタクトを保持するハウジングと、前記ハウジングの左右方向両端部に取り付けられた一対の支持部材とを備え、前記一対の支持部材で単一の基板上に固定されるコネクタにおいて、
前記一対の支持部材の夫々は、
前記ハウジングの少なくとも一部を前記ハウジングの上下方向から挟む上板部及び下板部と、
前記上板部及び前記下板部から前記ハウジングの前記左右方向外側に向かって張り出した前記基板への固定用の上側ホールドダウン及び下側ホールドダウンと、を有していることを特徴とする、コネクタ。
【請求項２】
前記ハウジングの前記左右方向における両端部は、夫々、相手コネクタのガイドポストをガイドするためのガイド部を構成しており、
前記ガイド部の上部は、前記上板部により覆われており、前記ガイド部の下部は、前記下板部により覆われている、
請求項１のコネクタ。
【請求項３】
前記一対の支持部材の夫々は、前記上板部の後端の少なくとも一部と前記下板部の後端の少なくとも一部を連結する上下連結部を更に備えている、
請求項１又は請求項２のコネクタ。
【請求項４】
前記一対の支持部材の夫々は、前記上板部の前端及び前記下板部の前端の少なくとも一方から前方へ突出した被圧入部を更に有しており、
前記ハウジングは、前記被圧入部を受ける受部を有しており、
前記被圧入部が前記受部に後方から圧入され、それにより、前記一対の支持部材の夫々は前記ハウジングに取り付けられている、
請求項３のコネクタ。
【請求項５】
前記被圧入部と前記上下連結部とは、上方から見た場合に、前記ハウジングの前後方向に延びる共通の直線上に配置されている、
請求項４のコネクタ。
【請求項６】
前記上側ホールドダウン及び前記下側ホールドダウンの一方は、開口部を有しており、他方は、前記開口部に囲まれる形状を有している、
請求項１から請求項５のいずれかのコネクタ。
【請求項７】
前記コネクタは、基板落とし込みタイプのものであり、
前記上側ホールドダウン及び前記下側ホールドダウンは、夫々、前記上板部及び前記下板部からクランク状に張り出している、
請求項１から請求項６のいずれかのコネクタ。
【請求項８】
前記上側ホールドダウンの前記基板に接続される部位と前記下側ホールドダウンの前記基板に接続される部位とは、前記上下方向において、実質的に同じ高さに位置している、
請求項１から請求項７のいずれかのコネクタ。
【請求項９】
前記一対の支持部材の前記上板部間と前記下板部間の少なくとも一方を連接する左右連接部を更に備える、
請求項１から請求項８のいずれかのコネクタ。
【発明の詳細な説明】
【技術分野】
【０００１】
本発明は、コネクタ、特に、いわゆる落とし込みタイプのコネクタに関する。
【背景技術】
【０００２】
従来、基板に対するホールドダウンを左右方向両端に有するコネクタが知られている。この内、基板に設けられた切り欠き部にコネクタの一部を落とし込んだ状態で、コネクタ側部に設けられたホールドダウンで基板に吊着固定するものは、落とし込みタイプ又はボトムタイプと呼ばれる（特許文献１又は特許文献２参照）。
【０００３】
【特許文献１】特開２００４−３２７２４４号公報
【特許文献２】特開２０００−０３９６２１号公報
【発明の開示】
【発明が解決しようとする課題】
【０００４】
本発明は、従来のコネクタを改良した新たな構造のコネクタを提供することを目的とする。
【課題を解決するための手段】
【０００５】
第１のコネクタは、コンタクトと、コンタクトを保持するハウジングと、ハウジングの左右方向両端部に取り付けられた一対の支持部材とを備え、一対の支持部材で単一の基板上に固定されるコネクタであって、一対の支持部材の夫々は、ハウジングの少なくとも一部をハウジングの上下方向から挟む上板部及び下板部と、上板部及び下板部からハウジングの左右方向外側に向かって張り出した基板への固定用の上側ホールドダウン及び下側ホールドダウンとを有している。この第１のコネクタによれば、従来のコネクタを改良した新たな構造を得ることができる。
【０００６】
第２のコネクタは、第１のコネクタにおいて、ハウジングの左右方向における両端部が、夫々、相手コネクタのガイドポストをガイドするためのガイド部を構成しており、ガイド部の上部は、上板部により覆われており、ガイド部の下部は、下板部により覆われている。この第２のコネクタによれば、相手コネクタのガイドポストを安定してガイドすることができる。
【０００７】
第３のコネクタは、第１又は第２のコネクタにおいて、一対の支持部材の夫々が、上板部の後端の少なくとも一部と下板部の後端の少なくとも一部を連結する上下連結部を更に備えている。この第３のコネクタによれば、相手コネクタから加わる力を一対の支持部材で吸収することができる。
【０００８】
第４のコネクタは、第３のコネクタにおいて、一対の支持部材の夫々が、上板部の前端及び下板部の前端の少なくとも一方から前方へ突出した被圧入部を更に有しており、ハウジングは、被圧入部を受ける受部を有しており、被圧入部が受部に後方から圧入され、それにより、一対の支持部材の夫々はハウジングに取り付けられている。この第４のコネクタによれば、一対の支持部材のハウジングへの取付が容易となる。
【０００９】
第５のコネクタは、第４のコネクタにおいて、被圧入部と上下連結部とは、上方から見た場合に、ハウジングの前後方向に延びる共通の直線上に配置されている。この第５のコネクタによれば、上下連結部を押すことにより被圧入部を受部に容易に圧入することができる。
【００１０】
第６のコネクタは、第１から第５のコネクタにおいて、上側ホールドダウン及び下側ホールドダウンの一方は、開口部を有しており、他方は、開口部に囲まれる形状を有している。この第６のコネクタによれば、相手コネクタを嵌合する際に上側ホールドダウン及び下側ホールドダウンに加わる力の差を、前後方向に並べて配置する場合に比較して小さくすることができる。
【００１１】
上記のコネクタにおいて、コネクタは、基板落とし込みタイプのものであり、上側ホールドダウン及び下側ホールドダウンは、夫々、上板部及び下板部からクランク状に張り出しているとよい。
【００１２】
上記のコネクタにおいて、上側ホールドダウンの基板に接続される部位と下側ホールドダウンの基板に接続される部位とは、上下方向において、実質的に同じ高さに位置しているとよい。
【００１３】
上記のコネクタにおいて、一対の支持部材の上板部間と下板部間の少なくとも一方を連接する左右連接部を更に備えるとよい。
【発明を実施するための最良の形態】
【００１４】
図１に示すように、本実施形態のコネクタ１は、ハウジング１０と第１及び第２の支持部材１１，１２からなる一対の支持部材とを有している。
【００１５】
ハウジング１０は、相手コネクタと嵌合するために前後方向（ｙ軸方向）の前側に開口された嵌合孔１３を有している。ハウジング１０は、嵌合孔１３内に前後方向に沿って延びる複数のコンタクト１４を左右方向に並設して保持しており、基板に接続するためにコンタクト１４の後端部をハウジング１０の後側から突出させている。
【００１６】
第１及び第２の支持部材１１，１２は、ハウジング１０の左右方向（ｘ軸方向）両端部に設けられており、ハウジング１０と共に夫々、相手コネクタを固定するための第１及び第２のガイド部１５，１６を規定している。
【００１７】
図８に示すように、本実施形態のコネクタ１は、基板落とし込みタイプのコネクタであり、基板５０の端部に設けられた切り欠き部５６に嵌め込まれた状態で第１及び第２の支持部材１１，１２を基板５０に固定して基板に実装される。相手コネクタ５１の相手嵌合部５３をコネクタ１の嵌合孔１３に挿入すると共に、相手コネクタ５１の第１及び第２のガイドポスト部５４，５５を、夫々、コネクタの第１及び第２のガイド部１５，１６に挿入することにより、相手コネクタ５１をコネクタ１に固定することができる。
【００１８】
以下、第１及び第２の支持部材１１，１２について詳細に説明するが、第１の支持部材１１と第２の支持部材１２は、左右方向に対称的な構造をもつため第１の支持部材１１についてのみ詳細に説明し、第２の支持部材１２について説明を省略する。
【００１９】
図２は後方から見たコネクタ１の部分的な分解斜視図であり、図３は前方から見たコネクタ１の部分的な分解斜視図である。
【００２０】
第１の支持部材１１は、上板部２０及び下板部２１と上下連結部２２と上側ホールドダウン２３及び下側ホールドダウン２５とロック板２６と上側被圧入部２７及び下側被圧入部２８とバネコンタクト２９とグランドコンタクト３０とを有しており、単一の金属板を曲げ加工することによって形成されている。
【００２１】
上板部２０及び下板部２１は、上下方向（ｚ軸方向）に対向する面をもっており、前後方向の後側で上下方向に延びる上下連結部２２を介して連結されている。下板部２１の左右方向内側の前後方向後側寄りの部位は、上板部２０よりも左右方向内側に広くなるように形成されている。
【００２２】
上板部２０には左右方向外側の端部の前後方向中央付近から延設された上側ホールドダウン２３が設けられている。上側ホールドダウン２３は、上板部２０の端部から下方に延びた後に左右方向外側に平面状に延び、その先端はわずかに上向きに反り返るように形成されている。
【００２３】
下板部２１には左右方向外側の端部の前後方向中央付近から延設された下側ホールドダウン２５が設けられている。下側ホールドダウン２５は、下板部２１の端部から上方に延びた後に左右方向外側に平面状に延びている。
【００２４】
即ち、上側ホールドダウン２３及び下側ホールドダウン２５は、夫々、上板部２０及び下板部２１からクランク上に張り出している。
【００２５】
図４の平面図に示すように、上側ホールドダウン２３の左右方向外側に延びる部位には上下方向に貫通した開口部２４が設けられており、下側ホールドダウン２５の左右方向外側に延びる部位は、上側ホールドダウン２３の開口部２４内に配置されている。上側ホールドダウン２３及び下側ホールドダウン２５の左右方向外側に延びる部位は、少なくとも下面において単一の平面を形成している。
【００２６】
図６に示すように、コネクタ１を基板５０に実装する際には、上側ホールドダウン２３及び下側ホールドダウン２５の左右方向外側に延びる部位を基板５０に半田付けして固定する。
【００２７】
なお、本実施形態の上側ホールドダウン２３及び下側ホールドダウン２５は、上板部２０及び下板部２１の前後方向中央付近から延設されているが、図８に示すような相手コネクタと嵌合する際の力を十分に吸収するためには前後方向前方に近いほうが好ましい。
【００２８】
なお、上側ホールドダウン２３及び下側ホールドダウン２５の基板５０との接合強度を均一にするため、下側ホールドダウン２５の左右方向外側に延びる部位の前後方向の幅ｄ１は、上側ホールドダウン２３の左右方向外側に延びる部位の前後方向の幅から開口部２４の幅を除いた長さｄ２の２倍であることが好ましい。
【００２９】
上側ホールドダウン２３及び下側ホールドダウン２５を基板５０に固定することにより、図８に示すような相手コネクタ５１の第１のガイドポスト部５４が第１のガイド部１５に挿入される際に第１のガイド部１５が上下に開かないため、安定して第１のガイドポスト部５４を挿入することができる。
【００３０】
上側ホールドダウン２３の開口部２４内に下側ホールドダウン２５を設けることにより、第１のガイドポスト部５４を挿入する際に上側ホールドダウン２３及び下側ホールドダウン２５に加わる力の差を、前後方向にずらした構成をもつものと比較して小さくすることができる。
【００３１】
なお、本実施形態のコネクタ１は、上側ホールドダウン２３に開口部２４を設けたものであるが、下側ホールドダウン２５に設けた開口部内に上側ホールドダウン２３の一部を配置するような構成をもつものであってもよい。
【００３２】
図２及び図３に示すように、上下連結部２２から前方に向かって延設されたロック板２６は、上下方向及び前後方向で規定される面をもち、図５の側面図に示すように左右方向に貫通するロック孔３１を有している。
【００３３】
図３に示すように、上板部２０の左右方向内側の端部を前方から前後方向中ほどまで切り欠いて折り曲げ形成された上側被圧入部２７は、上板部２０から下方に延びた後、前方に延びている。同様に、上側被圧入部２７に上下方向で対向する下側被圧入部２８は、下板部２１から上方に延びた後、前方に延びている。図４の平面図に示すように、上下方向において重なる位置に設けられている上側被圧入部２７及び下側被圧入部２８は、上方から見た場合に前後方向において上下連結部２２と単一の直線上に形成されている。
【００３４】
図２及び図３に示すように、下板部２１の前後方向後端の左右方向内側から延設されているバネコンタクト２９は、下板部２１から上方に延びた後、前方に延びるように延設されている。
【００３５】
図２に示すように、下板部２１の前後方向後端からはグランドコンタクト３０が延設されている。グランドコンタクト３０は、左右方向において上下連結部２２とバネコンタクト２９とにより挟まれ、下板部２１から上方に延びた後、後方に延びている。
【００３６】
第１の支持部材１１はハウジング１０の後方から前方に向けてスライドするように嵌合されることにより、ハウジング１０に取り付けられる。
【００３７】
図２及び図３に示すように、ハウジング１０は、第１の支持部材１１が取り付けられる端部に、上側ガイド板４０及び下側ガイド板４１とロック板嵌合部４２と上側案内溝４３及び下側案内溝４４と上側受部４５及び下側受部４６とバネコンタクト収容部４７とコンタクト収容部４８とを有している。
【００３８】
上側ガイド板４０と下側ガイド板４１とは上下方向において対向する面を有しており、第１の支持部材１１の上板部２０及び下板部２１によって挟まれるように形成されている。上側ガイド板４０及び下側ガイド板４１によってガイド部の上端及び下端が規定される。
【００３９】
ロック板嵌合部４２は、ハウジング１０を前後方向に貫通するように形成されており、第１の支持部材１１のロック板２６を挿入することができるように形成されている。ハウジング１０に第１の支持部材１１が嵌合された状態で、第１のガイド部１５が形成され、図８に示すような相手コネクタ５１の第１のガイドポスト部５４がガイド部１５に挿入された際に、第１のガイドポスト５４から左右方向内側に突出した突起がロック孔３１に嵌め合わされることにより、第１のガイドポスト部５４がガイド部１５に係合される。ロック板２６は、第１のガイドポスト５４の力を吸収するためのバネ性を有するように構成されていることが好ましい。
【００４０】
上側案内溝４３及び下側案内溝４４は、ハウジング１０の上下方向外側の各面において前後方向後側から前方に向かって延設されており、前後方向前方付近では、ハウジング１０を前後方向に貫く上側受部４５及び下側受部４６に夫々連接されている。第１の支持部材１１がハウジング１０の後方から嵌め合わされる際、上側被圧入部２７及び下側被圧入部２８は上側案内溝４３及び下側案内溝４４に夫々案内されて上側受部４５及び下側受部４６に圧入される。
【００４１】
上側被圧入部２７及び下側被圧入部２８は共に、上方から見た場合に前後方向において上下連結部２２と単一の直線上に形成されているため、第１の支持部材１１をハウジング１０に嵌合させる際に上下連結部２２を押すことにより、上側被圧入部２７と下側被圧入部２８とに均等に圧力を加えながら上側受部４５及び下側受部４６に圧入することができる。
【００４２】
図２及び図３に示すバネコンタクト収容部４７及びコンタクト収容部４８には、図６の正面図に示すように、夫々、ハウジング１０の後方からバネコンタクト２９及びコンタクト４９が挿入される。図６のＡ−Ａ線で切断した際の断面図である図７に示すように、バネコンタクト２９及びコンタクト４９は、図８に示すような相手コネクタ５１の相手嵌合部５３の端子に、夫々、下面及び上面から接触する。
【００４３】
図２に示すように、第１の支持部材１１の上下連結部２２は、ハウジング１０の前後方向後側に設けられていることから、図８に示すような相手コネクタ５１がコネクタ１に嵌合される際の力を、上側ホールドダウン２３及び下側ホールドダウン２５の基板５０への半田付け部分に集め、コンタクト１４部分に直接加わることを防止することができる。
【００４４】
本実施形態の第１の支持部材１１は、シェル本体をもたないためハウジング１０への組み込みが容易である。
【００４５】
なお、コネクタ１は、第１の支持部材１１と第２の支持部材１２の間で、上板部２０間と下板部２１間の少なくとも一方を接続するように板状に設けられてハウジング１０の上下方向の少なくとも一方を覆う上面部及び下面部を更に有するものであってもよい。上面部及び下面部によって、ハウジングを上下方向に挟持する左右連接部が構成される。
【００４６】
図９は他の実施形態のコネクタを構成するシェル６０を示す斜視図である。シェル６０は、全てが一体に形成された第１及び第２の支持部材６１，６２と上面部６３及び下面部６４を備えている。
【００４７】
第１及び第２の支持部材６１，６２は、上記実施形態のコネクタ１に設けられた第１及び第２の支持部材１１、１２と同様に上下方向に対向配置された上板部６５及び下板部６６と、上板部６５及び下板部６６からそれぞれ左右方向外側に張り出した上側ホールドダウン２３及び下側ホールドダウン２５と、上板部６５と下板部６６を前方の少なくとも一部で上下に連接する上下連接部６７と、下板部６６から切り起こされて後方に延びるグランドコンタクト６８と、上下連接部６７から前方から後方に延びたガイド板６９をもつ。本実施形態のシェル６０では、上下連接部６７が第１の支持部材６１及び第２の支持部材６２の前方に設けられているため、基板側である後方からハウジングを挿入する構造となっている。
【００４８】
上面部６３は、第１の支持部材６１と第２の支持部材６２の間で上板部６５間を接続する板状の部位であり、下面部６４は、第１の支持部材６１と第２の支持部材６２の間で下板部６４間を接続する板状の部位である。上面部６３及び下面部６４は、それぞれ前後方向及び左右方向で規定される面をもつ。ハウジングは、第１及び第２の支持部材６１，６２の内部に嵌め込まれるとともに、上面部６３と下面部６４との間で少なくとも一部が挟持されている。上面部６３と仮面部６４の少なくとも一方によって左右連接部７０が構成されている。
【図面の簡単な説明】
【００４９】
【図１】本実施形態のコネクタの斜視図である。
【図２】図１のハウジングと支持部材を後方から見た部分的な分解斜視図である。
【図３】図１のハウジングと支持部材を前方から見た部分的な分解斜視図である。
【図４】図１の支持部材の平面図である。
【図５】図１の支持部材の側面図である。
【図６】図１のコネクタの部分的な正面図である。
【図７】図６のコネクタのＡ−Ａ断面図である。
【図８】図１のコネクタと基板と相手コネクタの斜視図である。
【図９】他の実施形態のコネクタを構成するシェルを示す斜視図である。
【符号の説明】
【００５０】
１    コネクタ
１０  ハウジング
１１  第１の支持部材
１２  第２の支持部材
１３  嵌合穴
１４  コンタクト
１５  第１のガイド部
１６  第２のガイド部
２０  上板部
２１  下板部
２２  上下連結部
２３  上側ホールドダウン
２４  開口部
２５  下側ホールドダウン
２６  ロック板
２７  上側被圧入部
２８  下側被圧入部
２９  バネコンタクト
３０  グランドコンタクト
３１  ロック孔
４０  上側ガイド板
４１  下側ガイド板
４２  ロック板嵌合部
４３  上側案内溝
４４  下側案内溝
４５  上側受部
４６  下側受部
４７  バネコンタクト収容部
４８  コンタクト収容部
４９  コンタクト
５０  基板
５１  相手コネクタ
５３  相手嵌合部
５４  第１のガイドポスト部
５５  第２のガイドポスト部
５６  切り欠き部
６０  シェル
６１  第１の支持部材
６２  第２の支持部材
６３    上面部
６４    下面部
６５    上板部
６６    下板部
６７    上下連接部
６８    グランドコンタクト
６９    ガイド板
７０    左右連接部
【図１】
2007227000.tif 000003
【図２】
2007227000.tif 000004
【図３】
2007227000.tif 000005
【図４】
2007227000.tif 000006
【図５】
2007227000.tif 000007
【図６】
2007227000.tif 000008
【図７】
2007227000.tif 000009
【図８】
2007227000.tif 000010
【図９】
2007227000.tif 000011